(57)【要約】      （修正有）【課題】携帯電子機器を収納した状態で操作できる財布を提供する。【解決手段】札入れ部２０と、札入れ部２０の厚さ方向面部外方に設けられ、タッチパネルを有するスマートフォンを挿入する開口部を備え、スマートフォンを収納可能なスマートフォン収納部４０とを有し、スマートフォン収納部４０の外側面部４３ａに窓部４４が形成され、窓部４４には収納したスマートフォンのタッチパネルを視認可能かつタッチ操作可能な透明フィルム４５が全域に配置されている。また、スマートフォン収納部４０には、開口部に対向する部位に形成され、使用者の指が挿入されてスマートフォンを開口部に向けて押しうる押出穴部４６、４６を備える。【選択図】図１
0003203291.tif 000002
【実用新案登録請求の範囲】
【請求項１】
札入れ部と、前記札入れ部の厚さ方向面部外方に設けられ、タッチパネルを有する携帯電子機器を挿入する開口部を備え、前記携帯電子機器を収納可能な収納部とを有し、前記収納部の外側面部に窓部が形成され、前記窓部には収納した前記携帯電子機器のタッチパネルを視認可能かつタッチ操作可能な透明フィルムが全域に配置されていることを特徴とする財布。
【請求項２】
前記収納部には、前記開口部に対向する部位に形成され、使用者の指が挿入されて前記携帯電子機器を前記開口部に向けて押しうる穴部を備えることを特徴とする請求項１に記載の財布。
【請求項３】
前記収納部には、前記携帯電子機器のインプット用コネクタ及びアウトプット用コネクタの少なくとも一方に相当する位置に穴部を備えることを特徴とする請求項１又は請求項２に記載の財布。
【請求項４】
ストラップを係止する係止具を備えることを特徴とする請求項１から請求項３までのいずれか一項に記載の財布。
【請求項５】
前記携帯電子機器は、スマートフォンであることを特徴とする請求項１から請求項４までのいずれか一項に記載の財布。
【請求項６】
前記携帯電子機器は、携帯音楽プレーヤーであることを特徴とする請求項１から請求項４までのいずれか一項に記載の財布。
【考案の詳細な説明】
【技術分野】
【０００１】
本考案は、スマートフォン等の携帯電子機器を収納可能な財布に関する。
【背景技術】
【０００２】
今日スマートフォンは、広く普及して生活必需品となっており、財布とともに外出時の必携品となっている。このため、外出時にスマートフォンと財布とを携帯する際には、スマートフォンと財布とを、それぞれ衣服のポケットや、バッグ等に収納し、時には手で直接携帯することになる。
【０００３】
このような観点から、日常の必携品として携帯する財布とスマートフォンを別途に持つ煩雑さを避けるために、スマートフォンを収納できるよう構成された財布が提案されている。
【０００４】
特許文献１には、財布本体の中間部にスマートフォン収納体が設けられた財布、財布本体の側部にスマートフォン収納体が設けられた財布、財布の片方の内側カバー部にスマートフォン収納体が設けられた技術が開示されている。
【特許文献１】実用新案登録第３１７７９０１号公報
【考案の開示】
【考案が解決しようとする課題】
【０００５】
しかしながら、上述の財布にあっては、スマートフォンは、財布内のスマートフォン収納部に収納されているため、財布から取り出さないと、画面表示を視認したり、タッチパネル、ボタン等を操作したりできない。このため、着信など急な用件でとっさにスマートフォンを操作するときに対応できない。
【０００６】
本考案は上述した課題に鑑みてなされたものであり、携帯電子機器を収納した状態で携帯電子機器を操作できる財布を提供することを目的とする。
【課題を解決するための手段】
【０００７】
前記課題を解決する請求項１に記載の考案は、札入れ部と、前記札入れ部の厚さ方向面部外方に設けられ、タッチパネルを有する携帯電子機器を挿入する開口部を備え、前記携帯電子機器を収納可能な収納部とを有し、前記収納部の外側面部に窓部が形成され、前記窓部には収納した前記携帯電子機器のタッチパネルを視認可能かつタッチ操作可能な透明フィルムが全域に配置されていることを特徴とする財布である。
本考案によれば、財布の収納部に携帯電子機器が収納でき、この状態で収納部の窓部に配置された携帯電子機器のタッチパネルを、透明フィルム越しに視認及びタッチ操作が可能である。よって、携帯電子機器を財布に収納したままで操作できる。
【０００８】
請求項２に記載の考案は、前記収納部には、前記開口部に対向する部位に形成され、使用者の指が挿入されて前記携帯電子機器を前記開口部に向けて押しうる穴部を備えることを特徴とする。
本考案によれば、携帯電子機器を収納部に収納した状態において携帯電子機器の周囲に空隙部が形成されない状態で収納されたとしても、穴部から指を差し入れて携帯電子機器を開口部から取り出すことができる。よって、携帯電子機器を、素早く簡単に収納部から取り出すことができる。
【０００９】
請求項３に記載の考案は、前記収納部には、前記収納部には、前記携帯電子機器のインプット用コネクタ及びアウトプット用コネクタの少なくとも一方に相当する位置に穴部を備えることを特徴とする。
本考案によれば、パーソンナルコンピュータとの接続コネクタ、イヤホンコネクタ、充電コネクタ等のインプット用コネクタ及びアウトプットコネクタが相当する位置に穴部を備えることを特徴とする。よって、携帯用電子機器を財布から取り出すことなく、財布に収納したまま、インプット用コネクタ及びアウトプットコネクタに該当する接続コネクタを接続できる。
【００１０】
請求項４に記載の考案は、ストラップを係止する係止具を備えることを特徴とする。
本考案によれば、手持ち用ストラップや肩掛け用ストラップを係止具に取付けることができる。よって、他の接続部材等を使用することなく財布にストラップを取付けることができる。
【００１１】
請求項５に記載の考案は、前記携帯電子機器は、スマートフォンであることを特徴とする。本考案によれば、スマートフォンを財布の収納部に収納することができる。よって、スマートフォンを財布に収納したままタッチパネルの視認やタッチパネルの操作ができる。
【００１２】
請求項６に記載の考案は、前記携帯電子機器は、携帯音楽プレーヤーであることを特徴とする。
本考案によれば、携帯音楽プレーヤーを財布の収納部に収納することができる。よって、携帯音楽プレーヤーを財布に収納したままタッチパネルの視認やタッチパネルの操作ができる。
【考案の効果】
【００１３】
請求項１に記載の考案によれば、財布の収納部に携帯電子機器が収納でき、この状態で収納部の窓部に配置された携帯電子機器のタッチパネルを、透明フィルム越しに視認及びタッチ操作ができ、携帯電子機器を財布に収納したままで操作できる。
【００１４】
請求項２に記載の考案によれば、携帯電子機器を収納部に収納した状態において携帯電子機器の周囲に空隙部が形成されない状態であっても、穴部から指を差し入れて携帯電子機器を開口部から取り出すことができ、携帯電子機器を、素早く簡単に取り出すことができる。
【００１５】
請求項３に記載の考案によれば、パーソンナルコンピュータとの接続コネクタ、イヤホンコネクタ、充電コネクタ等のインプット用コネクタ及びアウトプットコネクタが相当する位置に穴部を備えるので、携帯用電子機器を財布から取り出すことなく、財布に収納したまま、インプット用コネクタ及びアウトプットコネクタに該当する接続コネクタを接続できる。
【００１６】
請求項４に記載の考案によれば、他の接続部材等を使用することなく係止具にストラップを取付けることができので、財布に手持ち用ストラップや肩掛け用ストラップを簡単に取付けることができる。
【００１７】
請求項５に記載の考案によれば、スマートフォンを財布に収納したままタッチパネルの視認やタッチパネルの操作ができる。
【００１８】
請求項６に記載の考案によれば、携帯音楽プレーヤーを財布に収納したままタッチパネルの視認やタッチパネルの操作ができる。
【図面の簡単な説明】
【００１９】
【図１】本考案の実施形態に係る財布を示す平面図である。
【図２】同財布を示す斜視図である。
【図３】同財布の収納部の底面を示す斜視図である。
【図４】同財布の収納部からスマートフォンを取り出す状態を示す平面図である。
【図５】同財布にストラップを取付け肩にかけた状態を示す模式図である。
【考案を実施するための最良の形態】
【００２０】
以下、本考案を実施するための形態に係る財布を図面に基づいて説明する。図１は本考案の実施形態に係る財布を示す平面図、図２は同財布を示す斜視図、図３は同財布の収納部の底面を示す斜視図である。
【００２１】
図１及び図２に示すように、本考案の実施形態に係る財布１０は、札入れ部２０と、収納部であるスマートフォン収納部４０とを備えている。札入れ部２０は、紙幣、硬化等の通貨や、紙片を収納する。スマートフォン収納部４０は、札入れ部２０の厚さ方向面部外方に設けられている。また、スマートフォン収納部４０は、札入れ部２０の平面投影面に収まる大きさに形成される。スマートフォン収納部４０には、タッチパネルを有する携帯電子機器、例えばスマートフォンを収納する。財布１０は、皮革や布を縫製加工して製造される。
【００２２】
まず札入れ部２０について説明する。札入れ部２０は、皮革、布等で薄形直方体形状に形成され、札入れ部本体２１と、札入れ部本体２１の長辺部２２と、長辺部２２に連設する一対の対向する短辺部２３、２３とにおいて開閉可能に被覆する本体線ファスナー２４を有する被覆部２５とを有している。スライダー２４ａを移動して本体線ファスナー２４を開くことにより被覆部２５の長辺部２２及び一対の短辺部２３、２３において開口する本体開口部２６が形成される。
【００２３】
図１に示すように、本実施の形態に係る財布１０の札入れ部本体２１は、線ファスナー２７を有して硬貨を収納可能な貨幣収納部２８と、貨幣収納部２８の厚さ方向両側に配置
され、紙幣を収納可能な第１の紙幣収納部２９、２９と、を備えている。
【００２４】
また、第１の紙幣収納部２９、２９の貨幣収納部２８の厚さ方向外方には、紙幣を収納可能な第２の紙幣収納部３０、３０が設けられ、第２の紙幣収納部３０、３０の更に厚さ方向外方であって、被覆部２５を形成する側板部３１ａ、３１ｂの内側には、保険証や身分証などのカードを差し込んで収納可能なカード収納部３２が設けられている。
【００２５】
このように、本実施の形態に係る財布１０は、札入れ部２０にある本体線ファスナー２４を本体開口部２６が現出するよう開くと、貨幣収納部２８、第１の紙幣収納部２９、２９、第２の紙幣収納部３０、３０及びカード収納部３２が現出する。
【００２６】
現出した貨幣収納部２８、第１の紙幣収納部２９、２９、第２の紙幣収納部３０、３０及びカード収納部３２には、貨幣や紙幣又はカードを収納することができる。
【００２７】
次にスマートフォン収納部４０について説明する。スマートフォン収納部４０は、札入れ部本体２１を構成する一方の側板部３０ｂの外側に、形成される。スマートフォン収納部４０は、外側面部４３ａ、左右の横側面部４３ｂ、４３ｃ、及び底壁部４３ｄを備える。また、スマートフォン収納部４０は、一端側（図１中の上端側）に開口部４１（図４参照）を備える。開口部４１には、開口部を上側から開閉可能に覆うフラップ部４２が配置される。更に、スマートフォン収納部４０には、外側面部４３ａに窓部４４が形成されている。窓部４４は、収納されるスマートフォン５０のタッチパネル５１が充分に表示できる程度の大きさを備える。この例では、窓部４４の形状は、後述する穴部である押出穴部４６、４６の形状に合わせて図１中の下方に向けて幅が狭く形成されている。
【００２８】
窓部４４には、収納したスマートフォン５０のタッチパネル５１を視認可能かつタッチ操作可能な透明フィルム４５が全域に配置されている。透明フィルム４５は、タッチパネル５１の表示が視認可能で、かつ、タッチパネル５１のタッチ操作が可能な素材、例えばＰＥＴ（ポリエチレンテレフタレート）樹脂が使用される。この透明フィルム４５の材質は、ＰＥＴに限らず、タッチパネル５１の視認、操作が可能であれば他の素材でもよい。
【００２９】
このため、本実施形態に係る財布によれば、財布１０のスマートフォン収納部４０にスマートフォン５０を収納でき、この状態でスマートフォン収納部４０の窓部４４に配置されたスマートフォン５０のタッチパネル５１を、透明フィルム４５越しに視認及びタッチ操作が可能である。よって、スマートフォン５０を財布１０に収納したままで操作できる。
【００３０】
本実施形態に係る財布１０において、スマートフォン収納部４０には、図２及び図３に示すように、開口部４１に対向する部位、即ち他端（図１中の下端）の両側に穴部である押出穴部４６、４６が形成される。この押出穴部４６、４６は、例えばスマートフォン収納部４０の内側に入り込むように形成される。図２に示すように、押出穴部４６からは、スマートフォン５０の下端隅部５２ａ、５２ｂが露出する。そして、図４に示すように、押出穴部４６、４６から使用者が指を挿入しスマートフォン５０を開口部４１に向けて押し出す（図中矢印Ａ）ことができる。なお、図中符号３４、３５はフラップ部４２でスマートフォン収納部４０の開口部４１を覆ったときに、フラップ部４２を外側面部４３ａに固定するマグネット金具、符号５５はスマートフォン５０の操作ボタンを示している。
【００３１】
よって、財布１０のスマートフォン収納部４０にスマートフォン５０を収納部に収納した状態においてスマートフォン５０の周囲に空隙部が形成されない状態で収納されたとしても、開口部４１から指を差し入れて押し出し、スマートフォン５０を開口部４１から取り出すことができる。よって、携帯電子機器を、素早く簡単に収納部から取り出すことができる。
【００３２】
また、図２及び図３に示すように、本実施形態に係る財布１０では、スマートフォン収納部４０の底壁部４３ｄには、スマートフォン５０のインプット用コネクタ及びアウトプット用コネクタであるコンピューターへの接続コネクタ５３に相当する位置に穴部であるコネクタ穴部４７を備える。接続コネクタ５３は、充電やコンピューターへの接続を行うためのＵＳＢ（Universal Serial Bus）コネクタやＬＩＧＨＴＮＩＮＧ（登録商標）コネクタである。このコネクタ穴部４７の他、イヤホンメス側コネクタに相当する位置に穴部としてイヤホンコネクタ穴を設けたり、他の位置に配置された接続コネクタ用の穴部を設けたりすることができる。
【００３３】
本実施形態に係る財布１０によれば、スマートフォン５０を財布１０から取り出すことなく、財布１０に収納したまま、接続コネクタ５３に接続プラグコネクタを接続でき、スマートフォン５０の充電、コンピューターとの接続、イヤホンジャックの接続ができる。
【００３４】
更に、図１に示すように、財布１０には、一方（図１中上側）の短辺部２３にストラップを係止用の係止具として金属製の係止リング部材４８ａ、４８ｂを備える。一方の係止リング部材４８ａは側板部３１ａに、他方の係止リング部材４８ｂは側板部３１ｂに接続されている。
【００３５】
この係止リング部材４８ａ、４８ｂには、図５に示すように、例えば肩掛けストラップ５４の両端を公知の金具で取付けることができ、この状態で財布１０を使用者Ｈが肩からかけて使用することができる。なお、係止リング部材４８ａ、４８ｂには肩掛けストラップの他、手持ち用のストラップを取付けることができる。
【００３６】
なお、上記例では、財布に収納する携帯電子機器としてスマートフォンを例にして説明したが、携帯電子機器としてはタッチパネルを備える携帯音楽プレーヤー、タブレット端末等、他のものであってもよい。
【産業上の利用可能性】
【００３７】
本考案は、財布の収納部に携帯電子機器が収納でき、この状態で収納部の窓部に配置された携帯電子機器のタッチパネルを、透明フィルム越しに視認及びタッチ操作が可能である。よって、携帯電子機器を財布に収納したままで操作可能であり、財布に広く適用することができ、産業上の利用可能性を備えている。
【符号の説明】
【００３８】
１０：財布
２０：札入れ部
２１：札入れ部本体
２２：長辺部
２３、２３：短辺部
２４：本体線ファスナー
２４ａ：スライダー
２５：被覆部
２６：本体開口部
２７：線ファスナー
２８：貨幣収納部
２９、２９：第１の紙幣収納部
３０、３０：第２の紙幣収納部
３１ａ、３１ｂ：側板部
３１ｂ：側板部
３１ａ、３１ｂ：側板部
３２：カード収納部
４０：スマートフォン収納部（収納部）
４１：開口部
４２：フラップ部
４３ａ：外側面部
４３ｂ、４３ｃ：横側面部
４３ｄ：底壁部
４４：窓部
４５：透明フィルム
４６、４６：押出穴部（穴部）
４７：コネクタ穴部
４８ａ、４８ｂ：係止リング部材（係止部材）
５０：スマートフォン（携帯電子機器）
５１：タッチパネル
５２ａ、５２ｂ：下端隅部
５３：接続コネクタ
５４：肩掛けストラップ（ストラップ）
【図１】
0003203291.tif 000003
【図２】
0003203291.tif 000004
【図３】
0003203291.tif 000005
【図４】
0003203291.tif 000006
【図５】
0003203291.tif 000007